(57)【要約】【課題】取付け精度を向上させることができると共に、美観や作業性を確保することのできる壁面収納箱を提供する。【解決手段】  建物の壁面９に設けられた所定の奥行きを有する開口部Ｋに設置され、壁面側に開口部を有する有底筒体からなる外箱４と、該外箱の内法よりも僅かに小さな外法を有する筒体で構成され、前記外箱の内側を奥行き方向に移動可能な内箱３と、該内箱に対してヒンジ１３を介して開閉可能に支持され、前記内箱の壁面側の開口部１００と、前記外箱の開口部２００とを塞ぐフェースプレート２と、を具備する。【選択図】図３
2013056715.tif 000002
【特許請求の範囲】
【請求項１】
建物の壁面に設けられた所定の奥行きを有する壁開口部に設置され、壁面側に開口部を有する有底筒体からなる外箱と、
該外箱の内法よりも僅かに小さな外法を有する筒体で構成され、前記外箱の内側を奥行き方向に移動可能な内箱と、
該内箱に対してヒンジを介して開閉可能に支持され、前記内箱の壁面側の開口部と、前記外箱の開口部とを塞ぐフェースプレートと、
を具備することを特徴とする壁面収納箱。
【請求項２】
前記内箱の奥行き側の一部には、前記外箱の内壁に対して付勢される付勢部が設けられ、
該内箱の奥行き方向の移動に伴って、前記付勢部は前記外箱の内壁に接触した状態で摺動されるように構成されることを特徴とする請求項１に記載の壁面収納箱。
【請求項３】
前記付勢部は、１または２以上の板バネで構成されることを特徴とする請求項２に記載の壁面収納箱。
【請求項４】
前記フェースプレートには、当該フェースプレートが前記内箱の壁面側の開口部を塞いだ状態において、該内箱側に施錠される施錠機構が設けられることを特徴とする請求項１から請求項３の何れか１項に記載の壁面収納箱。
【請求項５】
前記内箱には、前記フェースプレートが前記内箱の壁面側の開口部を塞いだ状態において、該フェースプレートを施錠する施錠機構が設けられることを特徴とする請求項１から請求項３の何れか１項に記載の壁面収納箱。
【請求項６】
前記施錠機構が有する鍵穴は、前記内箱の側方に設けられ、
前記内箱を進出方向に所定距離移動させた際に、当該鍵穴が、前記壁面によって隠れた状態から露出した状態となるように構成されることを特徴とする請求項５に記載の壁面収納箱。
【請求項７】
前記外箱の開口部側の内壁側端部と、前記内箱の奥行き側の外壁側端部とには、互いに係合して前記内箱が前記外箱からの脱落を防止する突起部が形成されていることを特徴とする請求項１から請求項６の何れか１項に記載の壁面収納箱。
【請求項８】
前記内箱側の突起部は、前記板バネの一部で構成されることを特徴とする請求項７に記載の壁面収納箱。
【請求項９】
前記外箱内に、前記建物に設置されるエレベータの点検用のスイッチ機構を設けたことを特徴とする請求項１から請求項８の何れか１項に記載の壁面収納箱。
【発明の詳細な説明】
【技術分野】
【０００１】
本発明の実施形態は、エレベータの動作を点検するためのスイッチ等の器具を壁面内に収納する壁面収納箱に関する。
【背景技術】
【０００２】
一般的に、エレベータが設置された建物においては、エレベータ点検時に使用するスイッチ等の器具や装置を壁面内に収納する壁面収納箱の一種として構成されるエレベータ点検ボックスを備えるものが知られている。
【０００３】
このようなエレベータ点検ボックスは、スイッチ等の収容により奥行きが比較的大きくなるため、建物の壁面に収容可能な奥行きを有する開口部を設け、この開口部からスイッチ等を収容した収容器（ボックス本体）を嵌め込むようにして設置されることが多い。
【０００４】
従来におけるエレベータ点検ボックスの具体例としては、例えば特開２００５−２４７５７０号公報（特許文献１）等が挙げられる。
【先行技術文献】
【特許文献】
【０００５】
【特許文献１】特開２００９−１８００１９号公報
【発明の概要】
【発明が解決しようとする課題】
【０００６】
ところで、上述のようなエレベータ点検ボックスは、建物内装の壁仕上を行う前に設置することが多い。
【０００７】
即ち、壁仕上げとして、コンクリート等で構成される建物壁の内側の表面に、化粧ボード等の内壁仕上材を取り付ける施工を行う。そのため、建物壁に埋設されるエレベータ点検ボックスの表面側に取付けられるフェースプレートについては、内壁仕上材等の厚さに相当する壁の仕上げ代を見込んで位置合わせする必要がある。
【０００８】
しかしながら、建物内装の壁仕上を行う前にエレベータ点検ボックスを設置する場合には、ボックス本体の表面側端部の取付け位置の基準が存在しない状態での施工となり、正確な位置合わせが難しいという問題があった。
【０００９】
また、内壁仕上材等の厚さに誤差がある場合には、ボックスにフェースプレートを取り付けた際に、仕上げ壁とフェースプレートとの間に隙間を生じてしまい美観を損なうという難点があった。
【００１０】
また、逆に、内壁仕上材等の厚さが、見込んだ仕上げ代よりも厚かったような場合には、ボックス本体にフェースプレートを取り付けることができなくなったり、或いはフェースプレートをボックス本体に対して施錠することが困難になるなどの不都合を生じる虞がある。
【００１１】
本発明は上記の事情に鑑み、取付精度を向上させることができると共に、美観や作業性を確保することのできる壁面収納箱を提供することを目的としている。
【課題を解決するための手段】
【００１２】
前記課題を解決するため、実施形態に係る壁面収納箱は、建物の壁面に設けられた所定の奥行きを有する壁開口部に設置され、壁面側に開口部を有する有底筒体からなる外箱と、該外箱の内法よりも僅かに小さな外法を有する筒体で構成され、前記外箱の内側を奥行き方向に移動可能な内箱と、該内箱に対してヒンジを介して開閉可能に支持され、前記内箱の壁面側の開口部と、前記外箱の開口部とを塞ぐフェースプレートと、を具備することを特徴としている。
【図面の簡単な説明】
【００１３】
【図１】第１の実施形態に係るエレベータ点検ボックスを示す正面図。
【図２】第１の実施形態に係るエレベータ点検ボックスを示す側方端面図。
【図３】第１の実施形態に係るエレベータ点検ボックスにおいて、内箱を収容した状態を示すＡ−Ａ線断面図。
【図４】第１の実施形態に係るエレベータ点検ボックスにおいて、内箱を引き出し、フェースプレートを開放した状態を示すＡ−Ａ線断面図。
【図５】第１の実施形態に係るエレベータ点検ボックスの概略構成を示す分解斜視図。
【図６】第２の実施形態に係るエレベータ点検ボックスにおいて、内箱を収容した状態を示す断面図。
【図７】第２の実施形態に係るエレベータ点検ボックスにおいて、内箱を引き出し、フェースプレートを開放した状態を示す断面図。
【図８】第３の実施形態に係るエレベータ点検ボックスにおいて、内箱を収容した状態を示す断面図。
【図９】第３の実施形態に係るエレベータ点検ボックスにおいて、内箱を引き出し、フェースプレートを開放した状態を示す断面図。
【図１０】第４の実施形態に係るエレベータ点検ボックスにおいて、内箱を収容した状態を示す断面図。
【図１１】第４の実施形態に係るエレベータ点検ボックスにおいて、内箱を引き出し、フェースプレートを開放した状態を示す断面図。
【発明を実施するための形態】
【００１４】
以下、本発明の一例としての実施の形態を図面に基づいて詳細に説明する。
【００１５】
ここで、添付図面において同一の部材には同一の符号を付しており、また、重複した説明は省略されている。なお、ここでの説明は本発明が実施される最良の形態であることから、本発明は当該形態に限定されるものではない。
【００１６】
［第１の実施形態］
図１から図５を参照して、本発明に係る壁面収納箱としての第１の実施形態に係るエレベータ点検ボックスＢ１について説明する。
【００１７】
第１の実施形態に係るエレベータ点検ボックスＢ１は、例えばビルディング等の建物壁８に設けられた所定の奥行きを有する開口部Ｋに設置される（図３および図４参照）。
【００１８】
このエレベータ点検ボックスＢ１は、壁面側に開口部１００を有する有底筒体からなる外箱４と、外箱４の内法よりも僅かに小さな外法を有する筒体で構成され、外箱４の内側を奥行き方向に移動可能な内箱３と、内箱３に対してヒンジ１３を介して開閉可能に支持され、内箱３の壁面側の開口部２００（図４参照）と、外箱４の開口部１００とを塞ぐフェースプレート２とから構成されている。
【００１９】
なお、特には限定されないが、外箱４および内箱３は、例えば鉄板の折曲加工等により構成される。また、フェースプレート２は、樹脂の成形品あるはアルミ板の削り出し等により構成することができる。
【００２０】
エレベータ点検ボックスＢ１は、内箱３を外箱４に収納し、フェースプレート２を閉じた状態において、フェースプレート２がエレベータの乗場から視認できる位置となるように設置される。
【００２１】
エレベータ点検ボックスＢ１は、上述のような構成により、内箱３を外箱４の奥行き方向に移動させることができるので、内箱３の壁面側の開口部２００と、外箱４の開口部１００とを塞ぐフェースプレート２の奥行き側の取付面２ａと、建物の仕上げ壁９の壁面９ａとが密着するように奥行き方向の距離を微調整することができる。
【００２２】
従って、エレベータ点検ボックスＢ１の取付精度が向上され、フェースプレート２の奥行き側の取付面２ａと建物の壁面９ａとの間に隙間を生ずることを防止して、美観を損なうことなくエレベータ点検ボックスＢ１を設置することができる。
【００２３】
なお、本実施形態では、外箱４、内箱３およびフェースプレート２の正面形状は長方形となっているが、これに限定されず円形、三角形、各種多角形等の任意の形状とすることが可能である。
【００２４】
また、図１に示すように、フェースプレート２には、エレベータのかご呼びを行う押ボタン５や、エレベータの現在の位置を示すインジケータ６が設置されている。
【００２５】
また、図２に示すように、エレベータ点検ボックスＢ１の外箱４の内部には、エレベータの点検用スイッチ機構７が設置されている。
【００２６】
点検用スイッチ機構７は、特には限定されないが、例えばエレベータ点検時における各種制御を行う制御基板７ａと、この制御基板７ａに対して各種点検モード等の指示を与えるスイッチＳＷ１〜ＳＷ３等を備える。
【００２７】
内箱３の奥行き側の一部（図３、図４示す例では奥行き側の端部）には、外箱４の内壁に対して付勢される付勢部を構成する板バネ１２が設けられ、内箱３の奥行き方向の移動に伴って、この板バネ１２は外箱４の内壁４ａに接触した状態で摺動されるように構成されている。
【００２８】
これにより、板バネ１２によって外箱４と内箱３との間のガタつきが防止され、内箱３について奥行き方向の移動をスムーズに行うことができる。
【００２９】
なお、板バネ１２の取付数や取付位置は、特には限定されないが、例えば図５の斜視図に示すように、内箱３の左右の内壁３ａ、３ｂの上下二箇所づつに短冊状の板バネ１２を奥行き側に突設するようにできる。図５に示す例では、各板バネ１２は内箱３の左右の内壁３ａ、３ｂにビス５０で固定されている。
【００３０】
また、図５において、フェースプレート２には、インジケータ６が臨む開口部２ｂと、押ボタン５が臨む開口部２ｃ、２ｄが形成されている。
【００３１】
本実施の形態において、外箱４の取り付けは、外箱取付けブラケット１１と背面プレート１０とを介して行われる。
【００３２】
即ち、外箱４の奥行き側の外面に外箱取付けブラケット１１が設けられ、この外箱取付けブラケット１１を建物壁８に形成された開口部Ｋに当接され、アンカーボルトなどで固定される金属製の背面プレート１０に対してボルトおよびナット（図示せず）を介して締結することによって外箱４が開口部Ｋ内に固定される。
【００３３】
外箱取付けブラケット１１は、例えば図３等に示すように、断面形状がＬ字型の部材１１ａ、１１ｂを両者に形成される長穴（図示せず）に図示しないボルトを挿通し、ナットで締結して構成することができる。
【００３４】
このような構成とした場合には、部材１１ａ、１１ｂを奥行き方向に移動させて外箱４の取付け位置を調整することができる。
【００３５】
フェースプレート２には、当該フェースプレート２が内箱３の壁面側の開口部を塞いだ状態において、内箱３側に施錠される施錠機構Ｌ１が設けられている。
【００３６】
施錠機構Ｌ１は、フェースプレート２の正面側に設けられる鍵穴１４ａを介して回転可能な施錠片１４ｂと、内箱３の内壁に設けられて前記施錠片１４ｂと係合してフェースプレート２を施錠する施錠突起１５とから構成されている。
【００３７】
この施錠機構Ｌ１により外箱４内に収容する点検用スイッチ機構７等へ第三者による悪戯等を防止することができる。
【００３８】
次に、本実施形態に係るエレベータ点検ボックスＢ１の設置の仕方について説明する。
【００３９】
まず、ビルディング等の建物壁８に設けられた開口部Ｋ内に、エレベータ点検ボックスＢ１を正面側から挿入し、外箱取付けブラケット１１を背面プレート１０にボルトとナットで固定する。
【００４０】
なお、外箱取付けブラケット１１が奥行き方向に伸縮可能に構成される場合には、エレベータ点検ボックスＢ１全体の取付位置を微調整することができる。
【００４１】
また、エレベータ点検ボックスＢ１の設置は、建物内装の壁仕上を行う前であってもよい。即ち、壁仕上げとして、コンクリート等で構成される建物壁８の内側の表面に、化粧ボード等の内壁仕上材（仕上げ壁）９を取り付ける施工を行うが、エレベータ点検ボックスＢ１の設置を当該内壁仕上材９の取付け前に行ってもよい。
【００４２】
このような場合であっても、本実施形態に係るエレベータ点検ボックスＢ１では、内箱３を外箱４の奥行き方向に移動させることができるので、フェースプレート２の奥行き側の取付面２ａと、エレベータ点検ボックスＢ１の設置後に施工される建物の仕上げ壁９の壁面９ａとが密着するように奥行き方向の距離を微調整することができる。
【００４３】
従って、図３に示すように、フェースプレート２の奥行き側の取付面２ａと建物の壁面９ａとの間に隙間を生ずることが防止され、美観を損なうことなくエレベータ点検ボックスＢ１を設置することができる。
【００４４】
次に、エレベータ点検ボックスＢ１を用いてエレベータの点検を行う際の手順について簡単に説明する。
【００４５】
エレベータの保守点検を行う作業員等は、まず、エレベータ点検ボックスＢ１のフェースプレート２正面の鍵穴１４ａに鍵を差し込んで回転させる。
【００４６】
次いで、フェースプレート２を手前側に回動させて内箱３と外箱４の開口部を開放する。
【００４７】
これにより、作業員は、開口部から手をエレベータ点検ボックスＢ１内に挿入して、点検用スイッチ機構７のスイッチＳＷ１〜ＳＷ３の操作等を行うことができる。
【００４８】
なお、必要に応じて内箱３を手前側に引き出して作業を行うことも可能である。
【００４９】
［第２の実施形態］
次に、図６および図７を参照して、第２の実施形態に係るエレベータ点検ボックスＢ２について説明する。
【００５０】
なお、第１の実施形態に係るエレベータ点検ボックスＢ１と同様の構成については同一符号を付して重複した説明は省略する。
【００５１】
第２の実施形態に係るエレベータ点検ボックスＢ２と第１の実施形態に係るエレベータ点検ボックスＢ１との構成上の相違点は、施錠機構Ｌ１に代えて施錠機構Ｌ２を設けた点である。
【００５２】
即ち、エレベータ点検ボックスＢ２における内箱３には、フェースプレート２が内箱３の壁面側の開口部を塞いだ状態において、このフェースプレート２を施錠する施錠機構Ｌ２が設けられている。
【００５３】
施錠機構Ｌ２は、内箱３の開口部側の端部の側方に、鍵穴２４ａを介して回転可能な施錠片２４ｂと、フェースプレート２の裏面側に設けられて前記施錠片２４ｂと係合してフェースプレート２を施錠する施錠突起２５とから構成されている。
【００５４】
そして、施錠機構Ｌ２においては、内箱３を進出方向に所定距離移動させた際に、鍵穴２４ａが、壁面９によって隠れた状態から露出した状態となるように構成されている。
【００５５】
次に、エレベータ点検ボックスＢ２を用いてエレベータの点検を行う際の手順について簡単に説明する。
【００５６】
エレベータの保守点検を行う作業員等は、まず、エレベータ点検ボックスＢ２のフェースプレート２を手前側に引っ張るなどして内箱３を手前側に移動させる。
【００５７】
これにより、内箱３の先端側の側方に鍵穴２４ａが露出した状態となるので、作業員は鍵穴２４ａに鍵を差し込んで回転させる。
【００５８】
次いで、フェースプレート２を手前側に回動させて内箱３と外箱４の開口部を開放する。
【００５９】
これにより、作業員は、開口部から手をエレベータ点検ボックスＢ２内に挿入して、点検用スイッチ機構７のスイッチＳＷ１〜ＳＷ３の操作等を行うことができる。
【００６０】
このように、施錠機構Ｌ２が備える鍵穴２４ａは、内箱３を進出方向に所定距離移動させた際にのみ露出した状態となるので、鍵穴２４ａの位置を第三者に知られ難くすることができ、点検用スイッチ機構７が第三者により不正に操作されるなどの事態を抑制して、防犯性を向上させることができる。
【００６１】
［第３の実施形態］
次に、図８および図９を参照して、第３の実施形態に係るエレベータ点検ボックスＢ３について説明する。
【００６２】
なお、第１の実施形態に係るエレベータ点検ボックスＢ１および第２の実施形態に係るエレベータ点検ボックスＢ２と同様の構成については同一符号を付して重複した説明は省略する。
【００６３】
第３の実施形態に係るエレベータ点検ボックスＢ３と第２の実施形態に係るエレベータ点検ボックスＢ２との構成上の相違点は、外箱４の開口部側の端部に外箱突起１６が、内箱３の奥行き側端部に前記外箱突起１６と係合する内箱突起１７が設けられている点である。
【００６４】
即ち、外箱４の開口部側の内壁側端部と、内箱３の奥行き側の外壁側端部とには、互いに係合して内箱３が外箱４からの脱落を防止する突起部（外箱突起１６と内箱突起１７）が形成されている。
【００６５】
これにより、内箱３を引き出した際に外箱４側から無用に外れたり、内箱３およびフェースプレート２が持ち去られる事態を防止することができる。
【００６６】
［第４の実施形態］
次に、図１０および図１１を参照して、第４の実施形態に係るエレベータ点検ボックスＢ４について説明する。
【００６７】
なお、第３の実施形態に係るエレベータ点検ボックスＢ３と同様の構成については同一符号を付して重複した説明は省略する。
【００６８】
第４の実施形態に係るエレベータ点検ボックスＢ４と第３の実施形態に係るエレベータ点検ボックスＢ３との構成上の相違点は、内箱側の突起部を板バネ３２の一部で構成されるようにした点である。
【００６９】
より具体的には、本実施の形態において、板バネ３２の先端側は、外側に向けてフック状に鋭角に折り返された形状とされている。
【００７０】
従って、内箱３を外箱４に組み付ける際には、板バネ３２の先端部の弾性変形によりスムーズに挿入することができ、一方、内箱３を引き出す際には板バネ３２の先端部が外箱突起１６と係合することにより内箱３が外箱４から脱落することが防止される。
【００７１】
これにより、内箱３の組み付けを容易にすると共に、内箱３を引き出した際に外箱４側から無用に外れたり、内箱３およびフェースプレート２が持ち去られる事態を防止することができる。
【００７２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
例えば、上記実施形態では、壁面収納箱をエレベータの点検時に用いるエレベータ点検ボックスＢ１〜Ｂ４として構成する場合について述べたが、これに限定されず、定期的に保守が必要なホールランタンの点検ボックスや、乗場操作盤についても同様の構造とすることができ、同様の効果を得ることができる。
【００７４】
また、フェースプレート２の施錠方法は施錠機構を用いる場合に限らず、ビス止めするようにしてもよい。
【００７５】
また、エレベータのリニューアル等でフェースプレート２を変更する際も、外箱４は建物壁８に設置したままで、内箱３とフェースプレート２を含むユニットを交換することで、現場での交換作業を容易に行うことができる。
【００７６】
また、その際においても既存の外箱４の設置位置に関わらず、フェースプレート２と仕上げ壁９とを隙間なく設置することができる。
【符号の説明】
【００７７】
Ｂ１〜Ｂ４  エレベータ点検ボックス
Ｋ  開口部
２  フェースプレート
２ａ  取付面
２ｂ〜ｄ  開口部
３  内箱
４  外箱
５  押ボタン
６  インジケータ
７  点検用スイッチ機構
８  建物壁
９  仕上げ壁
９ａ  壁面
１０  背面プレート
１１  外箱取付けブラケット
１２  板バネ
１３  ヒンジ
Ｌ１、Ｌ２  施錠機構
１４ａ  錠穴
１４ｂ  施錠片
１５  施錠突起
１６  外箱突起
１７  内箱突起
２４ａ  錠穴
２４ｂ  施錠片
２５  施錠突起
３２  板バネ
５０  ビス
１００  開口部
２００  開口部
【図１】
2013056715.tif 000003
【図２】
2013056715.tif 000004
【図３】
2013056715.tif 000005
【図４】
2013056715.tif 000006
【図５】
2013056715.tif 000007
【図６】
2013056715.tif 000008
【図７】
2013056715.tif 000009
【図８】
2013056715.tif 000010
【図９】
2013056715.tif 000011
【図１０】
2013056715.tif 000012
【図１１】
2013056715.tif 000013